(57)【要約】【課題】地球上のいかなる場所においても重力の影響を受けることなく発電装置のエネルギー効率を向上させること。【解決手段】本発明では、発電機（１３）を駆動モータ（９）で駆動することによって発電する発電装置（１）において、ケーシング（５）の内部に収容した駆動モータ（９）と発電機（１３）とをケーシング（５）の水平状態において垂直方向に向けて伸延する回転軸（６）を介して接続するとともに、回転軸（６）に回転によって遠心力を発生する遠心力発生体（２７）を接続し、しかも、ケーシング（５）を基台（２）に水平回転及び遥動可能に設けることにした。【選択図】図１
2011125199.tif 000002
【特許請求の範囲】
【請求項１】
発電機を駆動モータで駆動することによって発電する発電装置において、
ケーシングの内部に収容した駆動モータと発電機とをケーシングの水平状態において垂直方向に向けて伸延する回転軸を介して接続するとともに、回転軸に回転によって遠心力を発生する遠心力発生体を接続し、しかも、ケーシングを基台に水平回転及び遥動可能に設けたことを特徴とする発電装置。
【請求項２】
前記駆動モータや発電機や回転軸や遠心力発生体を収容したケーシング全体の重心位置で基台とケーシングとを水平回転及び遥動可能に支持したことを特徴とする請求項１に記載の発電装置。
【請求項３】
前記遠心力発生体は、前記回転軸に回転中心から所定の半径だけ離れた位置に所定の重量を有する環状体を昇降可能に接続するとともに、環状体の外周に回転によって浮力を発生する翼体を形成したことを特徴とする請求項１又は請求項２に記載の発電装置。
【発明の詳細な説明】
【技術分野】
【０００１】
本発明は、発電機を駆動モータで駆動することによって発電する発電装置に関するものである。
【背景技術】
【０００２】
従来より、各種電気製品に電力を供給するために発電装置が利用されている。
【０００３】
この従来の発電装置では、駆動モータに１台又は複数台の発電機を直結し、駆動モータで発電機を駆動することによって発電するように構成している（たとえば、特許文献１参照。）。
【先行技術文献】
【特許文献】
【０００４】
【特許文献１】特開２００１−１６９５３２号公報
【発明の概要】
【発明が解決しようとする課題】
【０００５】
近年、地球規模での電力消費量の増大に起因して地球の温暖化といった社会問題が発生し、電力を供給する発電装置にあっては、エネルギー効率の向上が望まれている。
【０００６】
ところが、上記従来の発電装置では、駆動モータと発電機とを直結していたために、発電機によって発電するだけの負荷が全て駆動モータにかかることになり、発電量を増大させるためには、駆動モータを大型化するか駆動モータの台数を増大する必要があった。
【０００７】
そのため、発電量を多くした発電装置では、駆動モータの大型化や台数の増大によって製造コストが増大してしまうおそれがあった。
【課題を解決するための手段】
【０００８】
そこで、請求項１に係る本発明では、発電機を駆動モータで駆動することによって発電する発電装置において、ケーシングの内部に収容した駆動モータと発電機とをケーシングの水平状態において垂直方向に向けて伸延する回転軸を介して接続するとともに、回転軸に回転によって遠心力を発生する遠心力発生体を接続し、しかも、ケーシングを基台に水平回転及び遥動可能に設けることにした。
【０００９】
また、請求項２に係る本発明では、前記請求項１に係る本発明において、前記駆動モータや発電機や回転軸や遠心力発生体を収容したケーシング全体の重心位置で基台とケーシングとを水平回転及び遥動可能に支持することにした。
【００１０】
また、請求項３に係る本発明では、前記請求項１又は請求項２に係る本発明において、前記遠心力発生体は、前記回転軸に回転中心から所定の半径だけ離れた位置に所定の重量を有する環状体を昇降可能に接続するとともに、環状体の外周に回転によって浮力を発生する翼体を形成することにした。
【発明の効果】
【００１１】
そして、本発明では、以下に記載する効果を奏する。
【００１２】
すなわち、本発明では、発電機を駆動モータで駆動することによって発電する発電装置において、ケーシングの内部に収容した駆動モータと発電機とをケーシングの水平状態において垂直方向に向けて伸延する回転軸を介して接続するとともに、回転軸に回転によって遠心力を発生する遠心力発生体を接続し、しかも、ケーシングを基台に水平回転及び遥動可能に設けることにしているために、地球上のいかなる場所においても重力の影響を受けることなく発電装置のエネルギー効率を向上させることができる。
【００１３】
特に、駆動モータや発電機や回転軸や遠心力発生体を収容したケーシング全体の重心位置で基台とケーシングとを水平回転及び遥動可能に支持することにした場合には、外部から強制的に制御しなくても駆動とともに自動的に重力の影響のない状態に姿勢変更させることができる。
【００１４】
また、回転軸に回転中心から所定の半径だけ離れた位置に所定の重量を有する環状体を昇降可能に接続するとともに、環状体の外周に回転によって浮力を発生する翼体を形成することにした場合には、駆動とともに環状体が浮上することになり、重力による損失を低減することができる。
【図面の簡単な説明】
【００１５】
【図１】本発明に係る発電装置を示す正面図。
【図２】同平面図。
【図３】遠心力発生体の正面断面図。
【図４】同平面断面図。
【発明を実施するための形態】
【００１６】
以下に、本発明に係る発電装置の具体的な構成を図面を参照しながら説明する。
【００１７】
図１及び図２に示すように、発電装置１は、矩形板状の基台２の上部に発電機構３を姿勢変更機構４を介して載置している。
【００１８】
発電機構３は、矩形箱型状のケーシング５の中央部に回転軸６を上下の軸受7,8を介して回転自在に取付けている。この回転軸６は、ケーシング５が水平状態になっているときに垂直方向に向けて伸延させた状態となっている。
【００１９】
また、発電機構３は、ケーシング５の左側部に駆動モータ９を台10を介して取付ける一方、ケーシング５の右側部に減速機11を台12を介して取付けるとともに、ケーシング５の右側部に発電機13を取付けている。
【００２０】
そして、発電機構３は、駆動モータ９の駆動軸14に取付けた駆動プーリー15を回転軸６に取付けた従動プーリー16に連動ベルト17を介して連動連結する一方、回転軸６に取付けた連動プーリー18を減速機11の入力軸19に取付けた入力プーリー20に連動ベルト21を介して連動連結するとともに、減速機11の出力軸22に取付けた出力プーリー23と発電機13の発電軸24に取付けた発電プーリー25とを連動ベルト26を介して連動連結している。
【００２１】
これにより、発電機構３は、駆動モータ９を駆動すると、それに伴って回転軸６が回転し、さらに、減速機11を介して発電機13が駆動され、発電機13によって発電するようになっている。なお、回転軸６は、地球の自転の影響を少なくするために、北半球では左回転、南半球では右回転させるようにしている。
【００２２】
この発電機構３では、図３及び図４に示すように、回転軸６に回転によって遠心力を発生する遠心力発生体27を接続している。
【００２３】
この遠心力発生体27は、回転軸６の中途部に形成した鍔体28の上部に円筒状の連結体29を連結キー30を介して昇降可能に取付け、連結体29の外周部に円板31を水平に取付け、円板31の外周部に環状体32を取付けている。
【００２４】
また、遠心力発生体27は、環状体32の外周に螺旋状の翼体33を形成し、環状体32の回転によって翼体33で浮力を発生するようにしている。
【００２５】
この遠心力発生体27は、回転軸６から所定の半径Ｒだけ離れた位置に所定の重量Ｍを有する環状体32を回転軸６に取付けた構造となっており、回転軸６の回転に伴って環状体32が水平面上で回転速度Ｖで回転し、これにより、Ｍ・Ｖ2／Ｒの遠心力が発生する。
【００２６】
そのため、駆動モータ９で回転軸６を回転駆動すると、回転軸６の回転に伴って環状体32の作用で遠心力が発生し、遠心力が回転軸６に作用することで回転軸６の回転が助長される。これにより、駆動モータ９の定格や台数を増大させることなく高負荷の発電機13又は複数の発電機13を駆動することができ、発電量の増大に伴う発電装置１の製造コストの増大を抑制することができる。
【００２７】
発電機構３は、ケーシング全体（ケーシング５に加え、回転軸６や駆動モータ９や発電機13や遠心力発生体27などのケーシング５の内部に収容した全ての物）の重心位置をケーシング５の中心位置となるようにケーシング５の内部に駆動モータ９や発電機13などを配置し、その重心位置（ケーシング５の中心位置）に回転軸６をケーシング５が水平状態となっているときに垂直方向に伸延するように配置している。
【００２８】
姿勢変更機構４は、図１及び図２に示すように、発電機構３のケーシング５の四隅下部に伸縮可能なダンパー34をそれぞれ取付け、各ダンパー34の下端部にキャスター35を水平回動可能に取付け、各キャスター35の転動輪36を基台２に敷設した円形状のレール37の上部に係止させた状態で載置している。
【００２９】
また、姿勢変更機構４は、発電機構３のケーシング全体（ケーシング５に加え、回転軸６や駆動モータ９や発電機13や遠心力発生体27などのケーシング５の内部に収容した全ての物）の重心位置（ここでは、ケーシング５の中心位置、回転軸６の直下方位置）において、ボールベアリング38によって基台２の上部に発電機構３のケーシング５を水平回転や遥動が可能なように姿勢変更可能に取付けている。
【００３０】
そのため、上記構成の発電装置１では、発電機構３を駆動して発電すると、回転軸６及び遠心力発生体27が回転し、それに伴って地球の重力や自転などの作用を受けて発電機構３が姿勢変更機構４によって水平回転や遥動をして、バランスが取れた姿勢で停止する。
【００３１】
以上に説明したように、上記発電装置１では、ケーシング５の内部に収容した駆動モータ９と発電機13とをケーシング５の水平状態において垂直方向に向けて伸延する回転軸６を介して接続するとともに、回転軸６に回転によって遠心力を発生する遠心力発生体27を接続し、しかも、ケーシング５を基台２に水平回転及び遥動可能に設けた構成としている。
【００３２】
そのため、上記構成の発電装置１では、ケーシング５の姿勢を変更することによって地球上のいかなる場所においても重力の影響を受けることなく発電装置１のエネルギー効率を向上させることができる。
【００３３】
また、上記発電装置１では、駆動モータ９や発電機13や回転軸６や遠心力発生体27を収容したケーシング全体の重心位置で基台２とケーシング５とを水平回転及び遥動可能に支持した構成としている。
【００３４】
そのため、上記構成の発電装置１では、外部から強制的に制御しなくても駆動とともに自動的に重力の影響のない状態に姿勢変更させることができる。
【００３５】
また、上記発電装置１では、回転軸６に回転中心から所定の半径Ｒだけ離れた位置に所定の重量Ｍを有する環状体32を昇降可能に接続するとともに、環状体32の外周に回転によって浮力を発生する翼体33を形成した構成としている。
【００３６】
そのため、上記構成の発電装置１では、駆動とともに環状体32が浮上することになり、重力による損失を低減することができる。
【符号の説明】
【００３７】
１  発電装置                            ２  基台
３  発電機構                            ４  姿勢変更機構
５  ケーシング                          ６  回転軸
7,8  軸受                               ９  駆動モータ
10  台                                  11  減速機
12  台                                  13  発電機
14  駆動軸                              15  駆動プーリー
16  従動プーリー                        17  連動ベルト
18  連動プーリー                        19  入力軸
20  入力プーリー                        21  連動ベルト
22  出力軸                              23  出力プーリー
24  発電軸                              25  発電プーリー
26  連動ベルト                          27  遠心力発生体
28  鍔体                                29  連結体
30  連結キー                            31  円板
32  環状体                              33  翼体
34  ダンパー                            35  キャスター
36  転動輪                              37  レール
38  ボールベアリング
【図１】
2011125199.tif 000003
【図２】
2011125199.tif 000004
【図３】
2011125199.tif 000005
【図４】
2011125199.tif 000006